(57)【要約】【課題】  押釦取付相手部材内側の省スペース化が図れて機器の小型化を実現できると共に、押釦の良好な操作フィーリングを確保することができる押釦装置を得ることにある。【解決手段】  押釦の頭部１ａ裏面に突設された押釦脚部１ｂを、押釦取付相手部材２に形成されて当該押釦取付相手部材２の内面に基端が開口した押釦ガイド部２ａに摺動可能に嵌合させると共に、前記押釦１に内側から付勢力を印加させ、その付勢力による押釦復帰位置では前記押釦脚部１ｂが前記押釦取付相手部材２の内側に突出しない長さに形成された押釦装置において、前記押釦脚部１ｂと押釦ガイド部２ａとの摺動面部における前記押釦脚部１ｂの先端エッジ部と前記押釦ガイド部２ａの基端開口エッジ部との少なくとも一方のエッジ部に面取り部１ｄおよび／または２ｂを設けたものである。【選択図】        図１
2007066646.tif 000002
【特許請求の範囲】
【請求項１】
押釦の頭部裏面に突設された押釦脚部を、押釦取付相手部材に形成されて当該押釦取付相手部材の内面に基端が開口した押釦ガイド部に摺動可能に嵌合させると共に、前記押釦に内側から付勢力を印加させ、その付勢力による押釦復帰位置では前記押釦脚部が前記押釦取付相手部材の内側に突出しない長さに形成された押釦装置において、前記押釦脚部と押釦ガイド部との摺動面部における前記押釦脚部の先端エッジ部と前記押釦ガイド部の基端開口エッジ部との少なくとも一方のエッジ部に面取り部を設けたことを特徴とする押釦装置。
【請求項２】
押釦には、押釦取付相手部材の内側に配置されたプッシュスイッチの戻し付勢力が印加されていることを特徴とする請求項１記載の押釦装置。
【請求項３】
押釦脚部は、その先端エッジ部が押釦の非押圧時に押釦ガイド部の基端開口エッジ部とほぼ同一位置に保持される長さに形成されていることを特徴とする請求項１または請求項２記載の押釦装置。
【発明の詳細な説明】
【技術分野】
【０００１】
この発明は、例えば車載用音響機器など各種機器のスイッチ操作手段として適用される押釦装置に関するものである。
【背景技術】
【０００２】
従来のスイッチ操作用の押釦装置として、押釦の頭部裏面に一体突設された筒状の押釦脚部を、各種機器の外装パネルやハウジング等からなる押釦取付相手部材の外面に一体突設されて当該押釦取付相手部材の内面に基端が開口した筒状の押釦ガイド部内に摺動可能に嵌合させると共に、前記押釦取付相手部材の内部に配置された回路基板上に実装されているスイッチの戻し付勢力を前記押釦に印加させ、当該押釦をプッシュすることで前記スイッチをＯＮ動作させるように構成したものは既に知られている（例えば、特許文献１参照）。また、このような従来の押釦装置において、押釦取付相手部材の内部（ハウジング内部）を省スペース化するために、当該押釦取付相手部材の押釦ガイド部に摺動可能に嵌合された押釦脚部を、スイッチのＯＦＦ位置（押釦復帰位置）では前記押釦取付相手部材の内部に突出しない長さに形成することも既に知られている。
【０００３】
【特許文献１】特開平１０−２７５２６号公報（段落〔００２６〕、図１）
【発明の開示】
【発明が解決しようとする課題】
【０００４】
従来の押釦装置は以上のように構成されているので、スイッチの戻し付勢力による押釦の復帰位置において、その押釦脚部が押釦取付相手部材の押釦ガイド部から押釦取付相手部材の内部に突出しない長さに形成されている場合、押釦のプッシュ時に押釦脚部が押釦ガイド部内でガタついて傾き易くなり、その傾きが生じると、前記押釦脚部の先端エッジ部と押釦取付相手部材の押釦ガイド部内面との擦過、および前記押釦取付相手部材の内面に開口する押釦ガイド部の基端開口エッジ部と前記押釦脚部の外周面との擦過が生じ、これに起因して前記押釦脚部の摺動抵抗が大きくなるため、押釦のストローク動作時に引っ掛かりが生じるなど押釦の良好な操作フィーリングが得られないばかりか、押釦のプッシュ解除時における復帰不良が生じ易くなり、押釦のストローク動作およびスイッチのＯＮ・ＯＦＦに支障を来すという課題があった。
【０００５】
そこで、前記押釦の操作フィーリングを向上させるために、押釦取付相手部材の押釦ガイド部内に摺動可能に嵌合された押釦脚部の先端エッジ部が常に押釦取付相手部材の内側に突出するように前記押釦脚部を長く伸ばせば、押釦プッシュ時における押釦脚部の先端エッジ部と押釦ガイドとの擦過を回避することができて押釦の良好な操作フィーリングを確保することはできるが、この場合、前記押釦脚部を長く伸ばすための余分なスペースを前記押釦取付相手部材の内側（ハウジング内部）に確保しなければならず、このため、ハウジング内部の省スペース化および機器の小型化が図れないという課題があった。
【０００６】
この発明は上記のような課題を解決するためになされたもので、押釦取付相手部材内側の省スペース化が図れて機器の小型化を実現できると共に、押釦の良好な操作フィーリングを確保することができる押釦装置を得ることを目的とする。
【課題を解決するための手段】
【０００７】
この発明に係る押釦装置は、押釦の頭部裏面に突設された押釦脚部を、押釦取付相手部材に形成されて当該押釦取付相手部材の内面に基端が開口した押釦ガイド部に摺動可能に嵌合させると共に、前記押釦に内側から付勢力を印加させ、その付勢力による押釦復帰位置では前記押釦脚部が前記押釦取付相手部材の内側に突出しない長さに形成された押釦装置において、前記押釦脚部と押釦ガイド部との摺動面部における前記押釦脚部の先端エッジ部と前記押釦ガイド部の基端開口エッジ部との少なくとも一方のエッジ部に面取り部を設けたものである。
【発明の効果】
【０００８】
この発明によれば、押釦取付相手部材の押釦ガイドに摺動可能に嵌合され、押釦復帰位置では前記押釦取付相手部材の内側に突出しない長さに形成された押釦脚部の先端エッジ部と前記押釦ガイド部の基端開口端エッジ部の少なくとも一方のエッジ部に面取り部を設けるように構成したので、前記押釦が仮に傾いて押圧された場合でも、前記押釦脚部の先端エッジ部と押釦ガイド部との擦過および／または前記押釦ガイド部の基端開口エッジ部と前記押釦脚部との擦過を前記面取り部によって防止することができ、このため、前記擦過に起因した押釦の摺動抵抗を軽減することができて当該押釦をスムーズにストローク動作させることができるなど押釦の良好な操作フィーリングが得られると共に、押釦の復帰不良を抑制することができるという効果がある。しかも、このような効果は、前述のように押釦復帰位置での押釦脚部を押釦取付相手部材の内側に伸ばすことなく得ることができるので、前記押釦取付相手部材の内部を省スペース化することができるという効果がある。
【発明を実施するための最良の形態】
【０００９】
実施の形態１．
図１はこの発明の実施の形態１による押釦装置を示す断面図である。
図１に示す押釦装置は、例えば車載用音響機器などの各種機器におけるスイッチ操作用の押釦１を押釦取付相手部材２に摺動可能に取り付けてなるもので、それらの詳細について以下に説明する。
まず、押釦１は、押圧操作用の頭部１ａの裏面に筒状の押釦脚部１ｂと中心軸状のスイッチ押圧片部１ｃとを一体突設した構成となっており、そのスイッチ押圧片部１は前記押釦脚部１ｂよりも長く形成されている。
一方、押釦取付相手部材２は、プッシュスイッチ４が実装された回路基板３を内蔵する機器のハウジングまたは外装パネルからなり、その押釦取付相手部材２には、当該押釦取付相手部材２の内面に基端が開口して外側に突出する筒状の押釦ガイド部２ａが一体形成されている。この押釦ガイド部２ａの内部に前記押釦脚部１ｂを摺動可能に嵌合させており、その嵌合状態において、前記スイッチ押圧片部１ｃの先端を前記プッシュスイッチ４に当接させている。
【００１０】
したがって、前記押釦１にはプッシュスイッチ４の戻し付勢力が印加されており、その戻し付勢力による前記押釦１の復帰位置において、前記押釦脚部１ｂは、その先端面が前記押釦取付相手部材２の内面とほぼ同一面となって当該押釦取付相手部材２の内側に前記押釦脚部１ｂの先端が突出しないように保持される長さに形成されている。
【００１１】
そして、前記押釦ガイド部２ａの基端開口エッジ部には面取り部２ｂが設けられており、この面取り部２ｂは、前記押釦ガイド部２ａの基端開口径を拡径する方向のテーパー面からなって、前記押釦１のプッシュ時に押釦脚部１ｂの先端エッジ部が干渉しないようにしている。
【００１２】
また、前記押釦取付相手部材２の内側には、前記押釦１の押釦脚部１ｂとスイッチ押圧片部１ｃとの間に介入して押釦１のストローク動作を許容する筒状導光部５ａが形成された導光部材５を配置している。一方、前記回路基板３上には、前記導光部材５を介して前記押釦１を光表示させるためのランプ６が実装されている。
【００１３】
次に動作について説明する。
押釦１をプッシュすると、当該押釦１のスイッチ押圧片部１ｃで回路基板３上のプッシュスイッチ４がＯＮされる。このとき、押釦取付相手部材２の押釦ガイド部２ａ内を押釦脚部１ｂが摺動して当該押釦脚部１ｂの先端部が前記押釦取付相手部材２の内側に突出するが、前記押釦ガイド部２ａの基端開口エッジ部には面取り部２ｂが設けられていることにより、前記押釦ガイド部２ａの基端開口エッジ部と前記押釦脚部１ｂとの擦過を回避することができる。このため、前記押釦ガイド部２ａの基端開口部に面取り部２ｂが設けられていない場合に比べて前記押釦１のプッシュ時における押釦脚部１ｂの摺動抵抗が大幅に軽減し、押釦１の良好な操作フィーリングを確保できる。また、前記押釦１はプッシュ解除時にプッシュスイッチ４の戻し付勢力で復帰するが、その復帰動作時において、押釦ガイド部２ａの基端開口エッジ部に面取り部２ｂが設けられていない場合、その基端開口エッジ部に前記押釦脚部１ｂが引っ掛かり易く、その引っ掛かりに起因して押釦１の復帰不良が生じることもあるが、その復帰不良を前記面取り部２ｂで回避することが可能となる。
【００１４】
以上説明した実施の形態１によれば、押釦取付相手部材２の外面に突出形成されて押釦脚部１ｂが摺動可能に嵌合される押釦ガイド部２ａの基端開口エッジ部に面取り部２ｂを設けるように構成したので、前記押釦ガイド部２ａの基端開口エッジ部に面取り部２ｂが設けられていない場合のように押釦１のストローク動作時に押釦脚部１ｂが前記押釦ガイド部２ａの基端開口エッジ部に擦過するのを前記面取り部２ｂで回避することができ、このため、押釦１の良好な操作フィーリングを確保できると共に、当該押釦１の復帰不良を抑制することができるという効果がある。また、前記押釦脚部１ｂは、押釦１の復帰位置で押釦取付相手部材２の外面に突出形成された押釦ガイド部２ａ内から前記押釦取付相手部材２の内側に突出しない長さに形成されているので、前記押釦取付相手部材２内の省スペース化が図れるという効果がある。
【００１５】
実施の形態２．
図２はこの発明の実施の形態２による押釦装置の要部を示す断面図であり、図１と同一部分には同一符号を付して重複説明は省略する。
前記実施の形態１では、押釦取付相手部材２における押釦ガイド部２ａの基端開口エッジ部に面取り部２ｂを設けたが、この実施の形態２では、押釦脚部１ｂの先端外周エッジ部にテーパー状の面取り部１ｄを設けたものである。
【００１６】
このような構成とした実施の形態２によれば、押釦脚部１ｂの先端外周エッジ部に面取り部１ｄが設けられていない場合に押釦脚部１ｄの先端外周エッジ部と押釦ガイド部２ａの基端開口エッジ部との間に生じ易いエッジ部同士の干渉を回避することが可能となり、このため、前記実施の形態１と同様の効果が期待できる。
【００１７】
実施の形態３．
前記実施の形態１では押釦ガイド部２ａの基端開口エッジ部に面取り部２ｂを設け、また、前記実施の形態２では押釦脚部１ｂの先端外周エッジ部に面取り部１ｄを設けるように構成したが、この実施の形態３では、押釦脚部１ｂの先端外周エッジ部と押釦ガイド部２ａの基端開口エッジ部の両方に面取り部１ｄ，２ｂを設けた構成とするものである。
【００１８】
このような構成とした実施の形態３によれば、押釦１のストローク動作時において押釦脚部１ｄの先端外周エッジ部と押釦ガイド部２ａの基端開口エッジ部とのエッジ部同士の干渉を回避できると共に、押釦ガイド部２ａの基端開口エッジ部と押釦脚部１ｂの筒状外周面との擦過および押釦脚部１ｂの先端外周エッジ部と押釦ガイド部２ａの筒状内周面との擦過をいっそう確実に防止することができ、押釦１のいっそう良好な操作フィーリングが得られると共に、当該押釦１のストローク動作性がいっそう向上するという効果がある。
【００１９】
実施の形態４．
前記各実施の形態では、押釦ガイド部２ａの基端開口エッジ部の面取り部２ｂおよび／または押釦脚部１ｂの先端エッジ部の面取り部１ｄをテーパー状に形成する場合について説明したが、それらの面取り部２ｂ，１ｄはアール形状に形成してもよく、この場合も同様の効果を期待できる。
【図面の簡単な説明】
【００２０】
【図１】この発明の実施の形態１による押釦装置を示す断面図である。
【図２】この発明の実施の形態２による押釦装置を示す断面図である。
【符号の説明】
【００２１】
１  押釦、１ａ  頭部、１ｂ  押釦脚部、１ｃ  スイッチ押圧片部、１ｄ  面取り部、２  押釦ガイド部、２ａ  押釦ガイド部、２ｂ  面取り部、３  回路基板、４  プッシュスイッチ、５  導光部材、６  ランプ。
【図１】
2007066646.tif 000003
【図２】
2007066646.tif 000004